(57)【要約】【課題】アンテナを取り外すことなく、無線機保持筐体に装着でき、しかも、アンテナを回動させるときに可搬ハンドルと干渉しない携帯無線機を提供する。【解決手段】ケース１外面に回転式コネクタ４が取り付けられ、前記回転式コネクタ４を介してアンテナ３が取り付けられ、据え置き型の収容筐体に保持される携帯無線機において、前記回転式コネクタ４の回転軸が前記ケース１側面垂直線から第１の角度だけ下方に傾いており、前記回転式コネクタの回転面の頂角を１８０°から前記第１の角度より大きくない第２の角度の２倍を減じた角度とする。【選択図】図１
2010154410.tif 000002
【特許請求の範囲】
【請求項１】
ケース外面に回転式コネクタが取り付けられ、前記回転式コネクタを介してアンテナが取り付けられ、据え置き型の収容筐体に保持される携帯無線機において、前記回転式コネクタの回転軸が前記ケース側面垂直線から第１の角度だけ下方に傾いており、前記回転式コネクタの回転面の頂角が１８０°から前記第１の角度より大きくない第２の角度の２倍を減じた角度であることを特徴とする携帯無線機。
【請求項２】
ケース側面上部に可搬ハンドルが取り付けられ、前記可搬ハンドル取り付け位置の下方に回転式コネクタを介してアンテナが取り付けられ、据え置き型の収容筐体に保持される携帯無線機において、前記回転式コネクタの回転軸が前記ケース側面垂直線から第１の角度だけ下方に傾いており、前記回転式コネクタの回転面の頂角が１８０°から前記第１の角度より大きくない第２の角度の２倍を減じた角度であることを特徴とする携帯無線機。
【請求項３】
前記第２の角度は前記第１の角度と等しい請求項１または２の携帯無線機。
【請求項４】
収容筐体に前記ケースの下面から押し込むように収容されると前記ケースの下面に設けられたコネクタを介して収容筐体側のアンテナ接続用信号線が携帯無線機側と接続される請求項１から３のいずれかに記載した携帯無線機。
【発明の詳細な説明】
【技術分野】
【０００１】
この発明は携帯無線機に係わり、特に、据え置き型の収容筐体に保持される携帯無線機に関する。
【背景技術】
【０００２】
特開平３−２６２７４９号公報に携帯無線機を車載用の収容筐体に保持させると共にコネクタを介してアンテナ信号線を収容筐体と携帯無線機の間に接続される携帯無線機が開示されている。
【０００３】
そのような従来の携帯無線機の例を図４に示す。図４に示すケース１０の側面１０ａには可搬ハンドル２が回動自在に取り付けられている。可搬ハンドル２の取付部の下方に回転式Ｌ型コネクタ１２が取りけられている。この回転式Ｌ型コネクタ１２の回転軸１２ａとコネクタ軸のなす角度は図５に示すように９０°である。
【０００４】
そして、回転軸１２ａがケース１０の側面１０ａと垂直となるように回転式Ｌ型コネクタ１２が取り付けられている。アンテナ３は、その端部に設けられた同軸コネクタ３ａを回転式Ｌ型コネクタ１２のねじ１２ｂにねじ込むことにより回転式Ｌ型コネクタ１２に取り付けられている。そして、アンテナ３はケース１０の側面１０ａと平行な面内で回動可能となっいる。図４ではアンテナ３を上方向および下方向の２位置に示している。
【０００５】
上記した図４に示す携帯無線機では、アンテナ３を上方に向けるときにアンテナ３の信号が可搬ハンドル２と電磁界的に干渉し、無線機に回り込むことがあった。そこで図６に示すように、回転式Ｌ型コネクタ１２をケース１１の側面１１ａに対して傾斜させて取り付けるものがあった。この例では図７に示すように、角度Ａだけ傾斜した状態に取り付けられており、回転式Ｌ型コネクタ１２の回転軸１２ａはケース１１の側面１１ａの垂直線より角度Ａだけ下方に向いている。
【０００６】
そして、図６に示すように、アンテナ３を上方に向けたときのアンテナ２とケース１１の側面１１ａとがなす角度はＡとなり、アンテナ３は可搬ハンドル２から離れる方向に傾き、可搬ハンドル２と干渉しない。しかしながら、アンテナ３を下方に向けるとアンテナ３がケース１０の側面１０ａに近接する。
【０００７】
携帯無線機を単体で使用するときは、アンテナ３を上方に向けた状態で使用するが、図８および図９に示す無線機保持筐体１３や無線機保持筐体１４に装着して使用するときは、アンテナ３を下向として、携帯無線機に無線機保持筐体１３または無線機保持筐体１４からアンテナ信号線が接続された状態で使用する。
【０００８】
なお、図８に示す無線機保持筐体１３は段差がないが、図９に示す無線機保持筐体１４は段差があり、無線機は段差の上の位置で保持される。無線機が無線機保持筐体１３または無線機保持筐体１４に保持された状態では無線機の側面と無線機保持筐体１３または無線機保持筐体１４との間に隙間１３ａおよび１４ａが生じる。
【０００９】
図８〜図１０において、点線のアンテナ３で示すように、アンテナ３の曲げ抵抗やアンテナ３の先端が無線機保持筐体１３または１４の壁面先端と衝突したときの抵抗により、無線機保持筐体１３または１４の収容部先端の位置が無線機に対して正常に収容したときの実線で示す位置より後退した点線で示す位置までしか無線機を収容部内に押し込むことができない。
【００１０】
また、実線のアンテナ３で示すように、アンテナ３を曲げることで正常位置まで収容できることもあるが、アンテナにストレスがかかってしまう。そのため、アンテナ３をケースから外して無線機保持筐体１３や無線機保持筐体１４に無線機を装着して使用することとなるが、アンテナ３はねじ込み式コネクタにより接続されているため、取り外し、取り付けが面倒であった。また、取り外した状態としておくとアンテナを紛失することがあった。
【特許文献１】特開平３−２６２７４９号公報、明細書第４頁右下欄、第７図、第８図
【発明の開示】
【発明が解決しようとする課題】
【００１１】
この発明は上記した点に鑑みてなされたものであって、その目的とするところは、アンテナを取り外すことなく、無線機保持筐体に装着でき、しかも、アンテナを回動させるときに可搬ハンドルと干渉しない携帯無線機を提供することにある。
【課題を解決するための手段】
【００１２】
この発明の携帯無線機は、ケース側面上部に可搬ハンドル等が取り付けられ、ケース外面に回転式コネクタが取り付けられ、前記回転式コネクタを介してアンテナが取り付けられ、据え置き型の収容筐体に保持される携帯無線機において、前記回転式コネクタの回転軸が前記ケース側面垂直線から第１の角度だけ下方に傾いており、前記回転式コネクタの回転面の頂角が１８０°から前記第１の角度より大きくない第２の角度の２倍を減じた角度であることを特徴とするものである。
【００１３】
また、この発明の携帯無線機は、ケース側面上部に可搬ハンドルが取り付けられ、前記可搬ハンドル取り付け位置の下方に回転式コネクタを介してアンテナが取り付けられ、据え置き型の収容筐体に保持される携帯無線機において、前記回転式コネクタの回転軸が前記ケース側面垂直線から第１の角度だけ下方に傾いており、前記回転式コネクタの回転面の頂角が１８０°から前記第１の角度より大きくない第２の角度の２倍を減じた角度であることを特徴とするものである。
【００１４】
また、前記各携帯無線機において、前記第２の角度を前記第１の角度と等しくしたものである。
【００１５】
また、前記各携帯無線機において、収容筐体に前記ケースの下面から押し込むように収容されると前記ケースの下面に設けられたコネクタを介して収容筐体側のアンテナ接続用信号線が携帯無線機側と接続されるものである。
【発明の効果】
【００１６】
この発明の携帯無線機によれば、アンテナを取り外すことなく、無線機保持筐体に装着でき、しかも、アンテナを回動させるときに可搬ハンドルと干渉しない。
【発明を実施するための最良の形態】
【００１７】
以下この発明を実施するための最良の形態を実施例に即して説明する。
【実施例１】
【００１８】
図１はこの発明の実施例１である携帯無線機を示す部分側面図、図２は図１における部分を示す拡大側面図である。図１に示すケース１の側面１ａには可搬ハンドル２が回動自在に取り付けられている。可搬ハンドル２の取付部の下方に回転式コネクタ４が取りけられている。
【００１９】
図２に示すように回転式コネクタ４はケース１の側面１ａに対して角度Ｂだけ傾くように取り付けられている。すなわち、回転軸４ａがケース１の側面１ａの垂線と角度Ｂをなすように回転式コネクタ４が取り付けられている。また、回転式コネクタ４の回転軸４ａとコネクタ取り付け中心軸のなす角度は図２に示すように９０°＋Ｂである。
【００２０】
従って、図２に示すように、コネクタ取り付け中心軸の上向きの方向とケース１の側面１ａとがなす角度Ａは角度２Ｂとなる。また、コネクタ取り付け中心軸の下向きの方向はケース１の側面１ａと平行となる。
【００２１】
また、コネクタ取り付け中心軸の回転面で形成される円錐面の頂角は１８０°−２Ｂとなる。このように構成した、回転式コネクタ４のねじ４ｂにアンテナ３の同軸コネクタ３ａをねじ込んでアンテナ３を支持させる。図１ではアンテナ３を上向きに回動させたときと、アンテナ３を下向きに回動させたときとの２位置で示している。
【００２２】
この構成による、アンテナ３を上向きに回動したときには、アンテナ３はケース１の側面１ａと角度Ａ＝２Ｂをなして可搬ハンドル２から離れるように傾き、アンテナ３を下向きに回動したときには、アンテナ３はケース１の側面１ａと平行となる。
【００２３】
そして、アンテナ３を上向きに回動させるときに可搬ハンドル２と干渉せず、アンテナ３を下向きに回動させて、無線機保持筐体に装着するときに、アンテナ３が無線機保持筐体と干渉しないようにすることができる。
【００２４】
なお、上記回転式コネクタ４をコネクタ取り付け中心軸がケース１の側面１ａの垂線とがなす角度を９０°＋Ｂより大きくなるように傾かせてケース１に取り付けると、アンテナ３を下向きに回動したときには、アンテナ３はケース１の側面１ａに近付くように傾斜するがこのような構成によっても本発明の効果が得られる。
【実施例２】
【００２５】
図３はこの発明の実施例２である携帯無線機を示す部分側面図である。この実施例で用いられる回転式コネクタ６はコネクタ取り付け中心軸が頂角９０°の円錐面上で回動可能となっている。そして、ケース５の側面５ａには可搬ハンドル２の取り付け位置の下方に下方向に４５°傾斜した面が設けられており、この傾斜面に回転式コネクタ６が取り付けられている。
【００２６】
この回転式コネクタ６に実施例１と同様のアンテナ３が締着される。この携帯無線機をを単体で使用するときは、図３に示すように、アンテナ３がケース５の側面５ａと垂直姿勢となるように回動させる。また、この携帯無線機を無線機保持筐体に装着するときには、図３に示すように、アンテナ３を下向きに回動させる。このときアンテナ３が可搬ハンドル２の取り付け面より低い位置となる。無線機保持筐体と携帯無線機の隙間が狭いときにもアンテナ３が無線機保持筐体と干渉することはない。
【００２７】
この実施例の携帯無線機にはケース上面に形成された４５°の傾斜面に上記回転式コネクタ６が取り付けられ、この回転式コネクタ６に外部ハンドマイクロホン７がコード７ａおよび同軸コネクタ７ｂを介して接続されている。
【００２８】
この携帯無線機を可搬ハンドル２を用いて搬送するときは、コード７ａがケース上面に沿って延びるように回転式コネクタ６を回動させることによりコード７ａと可搬ハンドル２が干渉しないようにすることができる。コード７ａがケース上面から垂直に延びるように回転式コネクタ６を回動させて無線機を使用するときは可搬ハンドル２を倒しておくことによりコード７ａと可搬ハンドル２が干渉しないようにすることができる。
【００２９】
実施例は以上のように構成されているが発明はこれに限られず、例えば、可搬ハンドルは固定式のものでもよく、また、可搬ハンドル以外の音量ボリューム等の部材であってもよい。
【図面の簡単な説明】
【００３０】
【図１】この発明の実施例１である携帯無線機を示す部分側面図である。
【図２】図１における部分を示す拡大側面図である。
【図３】この発明の実施例２である携帯無線機を示す部分側面図である。
【図４】従来の携帯無線機の例を示す部分側面図である。
【図５】図４における部分を示す拡大側面図である。
【図６】従来の携帯無線機の他の例を示す部分側面図である。
【図７】図６における部分を示す拡大側面図である。
【図８】図６に示す従来の携帯無線機の使用例を示す斜視図である。
【図９】図６に示す従来の携帯無線機の他の使用例を示す斜視図である。
【図１０】図６に示す従来の携帯無線機使用例を示す底面図である。
【符号の説明】
【００３１】
１  ケース、１ａ  側面
２  可搬ハンドル
３  アンテナ、３ａ  同軸コネクタ
４  回転式コネクタ、４ａ  回転軸
５  ケース、５ａ  側面
６  回転式コネクタ、６ａ  回転軸
７  外部ハンドマイクロホン、７ａ  コード、７ｂ  同軸コネクタ
１０  ケース、１０ａ  側面
１１  ケース、１１ａ  側面
１２  回転式Ｌ型コネクタ、１２ａ  回転軸
１３  無線機保持筐体、１３ａ  隙間
１４  無線機保持筐体、１４ａ  隙間
【図１】
2010154410.tif 000003
【図２】
2010154410.tif 000004
【図３】
2010154410.tif 000005
【図４】
2010154410.tif 000006
【図５】
2010154410.tif 000007
【図６】
2010154410.tif 000008
【図７】
2010154410.tif 000009
【図８】
2010154410.tif 000010
【図９】
2010154410.tif 000011
【図１０】
2010154410.tif 000012